【手続補正書】
【提出日】令和3年1月4日(2021.1.4)
【手続補正１】
【補正対象書類名】明細書
【補正対象項目名】００６５
【補正方法】変更
【補正の内容】
【００６５】
本発明を説明し、定義する目的で、「ａｂｏｕｔ（約）」という用語が、本開示では、いずれの数量的な比較、値、測定、または他の表現にも起因する可能性がある本質的な不確実性の程度を表すために利用されていることに留意されたい。「ａｂｏｕｔ（約）」という用語は、本開示では、数量的な表現が、問題になっている発明の対象の基本機能における変化をもたらさずに、表示基準と異なり得る程度を表すためにも利用されている。
以下、本発明の好ましい実施形態を項分け記載する。
実施形態１
電気化学セル、アノライトタンク、カソライトタンク、１つ以上のタンクセパレータ、複数の電解質経路、１つ以上のタービン、および１つ以上の発電回路を備えるハイブリッドフローレドックス電池システムであって、
前記電気化学セルが、アノードとカソードとの間に位置付けられ、かつ前記アノードおよび前記カソードと電気化学的に係合されたイオン交換膜を備え、
前記１つ以上の発電回路のうちの少なくとも１つが、前記アノードおよび前記カソードに電気的に結合され、
前記アノライトタンクが、上部アノライト開口と、前記上部アノライト開口の下方に位置付けられた下部アノライト開口とを含み、
前記カソライトタンクが、上部カソライト開口と、前記上部カソライト開口の下方に位置付けられた下部カソライト開口とを含み、
前記複数の電解質経路のうちの１つ以上が、前記アノライトタンクを前記アノードに流体的に結合するように、前記上部アノライト開口と前記アノードとの間に延在し、かつ前記下部アノライト開口と前記アノードとの間に延在し、
前記複数の電解質経路のうちの１つ以上が、前記カソライトタンクを前記カソードに流体的に結合するように、前記上部カソライト開口と前記カソードとの間に延在し、かつ前記下部カソライト開口と前記カソードとの間に延在し、
前記１つ以上のタービンが、前記複数の電解質経路のうちの１つ以上に流体的に結合され、
前記１つ以上のタンクセパレータが、前記アノライトタンクおよび前記カソライトタンクのうちの１つまたは両方の中に位置付けられ、
前記１つ以上のタンクセパレータが、電解質流を前記下部アノライト開口および前記下部カソライト開口のうちの１つまたは両方から前記１つ以上のタービンを通るように誘導して、水力発電式に電力を発生させるように、下向き方向に並進可能である、ハイブリッドフローレドックス電池システム。
実施形態２
前記１つ以上のタンクセパレータが、前記アノライトタンク内に位置付けられたアノライトタンクセパレータ、および前記カソライトタンク内に位置付けられたカソライトタンクセパレータを備え、
前記アノライトタンクセパレータが帯電アノライト活物質を放電アノライト活物質から分離するように、前記アノライトタンクセパレータが前記アノライトタンク内に位置付けられ、
前記カソライトタンクセパレータが帯電カソライト活物質を放電カソライト活物質から分離するように、前記カソライトタンクセパレータが前記カソライトタンク内に位置付けられている、実施形態１に記載のハイブリッドフローレドックス電池システム。
実施形態３
前記１つ以上のタンクセパレータがそれぞれ、１トン／ｍ３〜５トン／ｍ３の密度、および１トン〜４００トンの重量を備える、実施形態１に記載のハイブリッドフローレドックス電池システム。
実施形態４
前記複数の電解質経路のうちの１つ以上に流体的に結合された１つ以上の弁をさらに備え、
前記１つ以上の弁のそれぞれが、開位置と閉位置との間で作動可能であり、
前記開位置では、前記１つ以上の弁の電解質通過を可能にし、
前記閉位置では、前記１つ以上の弁の電解質通過を防ぐ、実施形態１に記載のハイブリッドフローレドックス電池システム。
実施形態５
前記１つ以上のタービンが、１つ以上のタービン発電機に電気的に結合され、
前記下部アノライト開口および前記下部カソライト開口のうちの１つまたは両方から前記１つ以上のタービンを通る電解質流が、前記１つ以上のタービンを回転させ、前記１つ以上のタービン発電機により受け取り可能である電流を発生させ、水力発電式に電力を発生させる、実施形態１に記載のハイブリッドフローレドックス電池システム。
実施形態６
前記複数の電解質経路が、
前記下部アノライト開口と前記アノードとの間に延在し、かつ前記下部アノライト開口および前記アノードに流体的に結合されている下部アノライト経路と、
前記上部アノライト開口と前記アノードとの間に延在し、かつ前記上部アノライト開口および前記アノードに流体的に結合されている上部アノライト経路と、
前記下部カソライト開口と前記カソードとの間に延在し、かつ前記下部カソライト開口および前記カソードに流体的に結合されている下部カソライト経路と、
前記上部カソライト開口と前記カソードとの間に延在し、かつ前記上部カソライト開口および前記カソードに流体的に結合されている上部カソライト経路と、を備える、実施形態１に記載のハイブリッドフローレドックス電池システム。
実施形態７
前記下部アノライト開口が、第１の下部アノライト開口を含み、
前記アノライトタンクが、前記上部アノライト開口の下方に位置付けられ、かつ前記下部アノライト経路に流体的に結合された第２の下部アノライト開口をさらに備え、
前記下部アノライト経路が、前記第１の下部アノライト開口と前記アノードとの間に延在する一次支路を備え、
前記下部アノライト経路が、前記第２の下部アノライト開口と前記下部アノライト経路の前記一次支路との間に延在する二次支路を備え、
前記１つ以上のタービンが、前記下部アノライト経路の前記二次支路に流体的に結合されたアノライト側タービンを備える、実施形態６に記載のハイブリッドフローレドックス電池システム。
実施形態８
前記第１の下部アノライト開口と、前記下部アノライト経路の前記一次支路と前記二次支路とのアノライト経路収束場所との間で、前記下部アノライト経路の前記一次支路に流体的に結合された第１のアノライト弁と、
前記第２の下部アノライト開口と前記アノライト側タービンとの間で、前記二次支路に流体的に結合された第２のアノライト弁と、
前記アノライト経路収束場所と前記アノライト側タービンとの間で、前記二次支路に流体的に結合された第３のアノライト弁と、をさらに備える、実施形態７に記載のハイブリッドフローレドックス電池システム。
実施形態９
前記第１、第２、および第３のアノライト弁のそれぞれが、閉位置と開位置との間で作動可能であり、
前記第１のアノライト弁が前記開位置にあり、前記第２および第３のアノライト弁がそれぞれ前記閉位置にあるとき、前記アノライト側タービンを通る電解質流が妨げられ、
前記第１のアノライト弁が前記閉位置にあり、前記第２および第３のアノライト弁がそれぞれ前記開位置にあるとき、前記アノライト側タービンを通る電解質流は妨げられない、実施形態８に記載のハイブリッドフローレドックス電池システム。
実施形態１０
前記下部カソライト開口が、第１の下部カソライト開口を備え、
前記カソライトタンクが、前記上部カソライト開口の下方に位置付けられ、かつ前記下部カソライト経路に流体的に結合された第２の下部カソライト開口をさらに備え、
前記下部カソライト経路が、前記第１の下部カソライト開口と前記カソードとの間に延在する一次支路を備え、
前記下部カソライト経路が、前記第２の下部カソライト開口と前記一次支路との間に延在する二次支路を備え、
前記１つ以上のタービンが、前記下部カソライト経路の前記二次支路に流体的に結合されたカソライト側タービンを備える、実施形態６に記載のハイブリッドフローレドックス電池システム。
実施形態１１
前記第１の下部カソライト開口と、前記下部カソライト経路の前記一次支路と前記二次支路とのカソライト経路収束場所との間で、前記下部カソライト経路の前記一次支路に流体的に結合された第１のカソライト弁と、
前記第２の下部カソライト開口と前記カソライト側タービンとの間で、前記二次支路に流体的に結合された第２のカソライト弁と、
前記カソライト経路収束場所と前記カソライト側タービンとの間で、前記二次支路に流体的に結合された第３のカソライト弁と、をさらに備える、実施形態１０に記載のハイブリッドフローレドックス電池システム。
実施形態１２
前記第１、第２、および第３のカソライト弁のそれぞれが、閉位置と開位置との間で作動可能であり、
前記第１のカソライト弁が前記開位置にあり、前記第２および第３のカソライト弁がそれぞれ前記閉位置にあるとき、前記カソライト側タービンを通る電解質流が妨げられ、
前記第１のカソライト弁が前記閉位置にあり、前記第２および第３のカソライト弁がそれぞれ前記開位置にあるとき、前記カソライト側タービンを通る電解質流は妨げられない、実施形態１１に記載のハイブリッドフローレドックス電池システム。
実施形態１３
アノライト溶液をさらに備え、前記アノライト溶液の１つ以上の活物質には、バナジウム、クロム、亜鉛、硫黄、ネプツニウム、ウラン、またはそれらの組み合わせが含まれる、実施形態１に記載のハイブリッドフローレドックス電池システム。
実施形態１４
前記アノードが、
前記アノライト溶液の帯電アノライト活物質を酸化させ、それにより、前記帯電アノライト活物質が、前記イオン交換膜から前記帯電アノライト活物質および陽子の両方を受け取った時点で前記１つ以上の発電回路のうちの少なくとも１つにより受け取り可能な電子を出すようにすることと、
前記アノライト溶液の放電アノライト活物質を還元させ、それにより、前記放電アノライト活物質が、前記１つ以上の発電回路のうちの少なくとも１つから前記放電アノライト活物質および電子の両方を受け取った時点で前記イオン交換膜によって受け取り可能な陽子を出すようにすること、を行うように電気化学的に構成されている、実施形態１３に記載のハイブリッドフローレドックス電池システム。
実施形態１５
カソライト溶液をさらに備え、前記カソライト溶液の１つ以上の活物質には、バナジウム、臭素、セリウム、塩素、フェリシアン化物、フェロシアン化物、マンガン、酸化ネプツニウム、酸化ウラン、またはそれらの組み合わせが含まれる、実施形態１に記載のハイブリッドフローレドックス電池システム。
実施形態１６
前記カソードが、
帯電カソライト活物質を還元させ、それにより、前記帯電カソライト活物質が、前記１つ以上の発電回路のうちの少なくとも１つから前記帯電カソライト活物質および電子の両方を受け取った時点で前記イオン交換膜により受け取り可能な陽子を出すようにすることと、
放電カソライト活物質を酸化させ、それにより、前記放電カソライト活物質が、前記イオン交換膜から前記放電カソライト活物質および陽子の両方を受け取った時点で前記１つ以上の発電回路のうちの少なくとも１つによって受け取り可能な電子を出すようにすることと、を行うように電気化学的に構成されている、実施形態１５に記載のハイブリッドフローレドックス電池システム。
実施形態１７
前記イオン交換膜が、前記アノードと前記カソードとの間に陽子経路をもたらすように構造的に構成された固体陽子伝導材料を備える、実施形態１に記載のハイブリッドフローレドックス電池システム。
実施形態１８
前記複数の電解質経路のうちの１つ以上に流体的に結合された１つ以上のポンプをさらに備え、
前記１つ以上のポンプが、前記上部アノライト開口および前記上部カソライト開口のうちの１つまたは１つより多いすなわち両方からの電解質流を誘導し、上向き方向に前記１つ以上のタンクセパレータを並進させるように構造的に構成され、
前記１つ以上のタンクセパレータが上昇位置から下降位置に前記下向き方向に並進するときに前記１つ以上のタービンを通る電解質流によって水力発電式に発生する電力が、前記１つ以上のタンクセパレータを前記上向き方向に前記下降位置から前記上昇位置に並進させるために前記１つ以上のポンプによって消費される電力以上である、実施形態１に記載のハイブリッドフローレドックス電池システム。
実施形態１９
電気化学セル、アノライトタンク、カソライトタンク、１つ以上のタンクセパレータ、複数の電解質経路、１つ以上のタービン、１つ以上のポンプ、および１つ以上の発電回路を備えるハイブリッドフローレドックス電池システムであって、
前記電気化学セルが、アノードとカソードとの間に位置付けられ、かつ前記アノードおよび前記カソードと電気化学的に係合されたイオン交換膜を備え、
前記１つ以上の発電回路のうちの少なくとも１つが、前記アノードおよび前記カソードに電気的に結合され、
前記アノライトタンクが、上部アノライト開口と、前記上部アノライト開口の下方に位置付けられた下部アノライト開口とを含み、
前記カソライトタンクが、上部カソライト開口と、前記上部カソライト開口の下方に位置付けられた下部カソライト開口とを含み、
前記複数の電解質経路のうちの１つ以上が、前記アノライトタンクを前記アノードに流体的に結合するように、前記上部アノライト開口と前記アノードとの間に延在し、かつ前記下部アノライト開口と前記アノードとの間に延在し、
前記複数の電解質経路のうちの１つ以上が、前記カソライトタンクを前記カソードに流体的に結合するように、前記上部カソライト開口と前記カソードとの間に延在し、かつ前記下部カソライト開口と前記カソードとの間に延在し、
前記１つ以上のポンプが、前記複数の電解質経路のうちの１つ以上に流体的に結合され、
前記１つ以上のタービンが、前記複数の電解質経路のうちの１つ以上に流体的に結合され、
前記１つ以上のタンクセパレータが、前記アノライトタンクおよび前記カソライトタンクのうちの１つまたは両方の中に位置付けられ、
前記１つ以上のタンクセパレータが、電解質流を前記下部アノライト開口および前記下部カソライト開口のうちの１つまたは両方から前記１つ以上のタービンを通るように誘導し、前記１つ以上のタービンを回転させて、水力発電式に電力を発生させるように、下向き方向に並進可能であり、
前記１つ以上のタンクセパレータが上昇位置から下降位置に前記下向き方向に並進するときに前記１つ以上のタービンを通る電解質流によって水力発電式に発生する電力が、前記１つ以上のタンクセパレータを上向き方向に前記下降位置から前記上昇位置に並進させるために前記１つ以上のポンプによって消費される電力の５０％以上である、ハイブリッドフローレドックス電池システム。
実施形態２０
電気化学セル、アノライトタンク、カソライトタンク、１つ以上のタンクセパレータ、複数の電解質経路、１つ以上のタービン、１つ以上の弁、および１つ以上の発電回路を備えるハイブリッドフローレドックス電池システムであって、
前記電気化学セルが、アノードとカソードとの間に位置付けられ、かつ前記アノードおよび前記カソードと電気化学的に係合されたイオン交換膜を備え、
前記１つ以上の発電回路のうちの少なくとも１つが、前記アノードおよび前記カソードに電気的に結合され、
前記アノライトタンクが、上部アノライト開口と、前記上部アノライト開口の下方に位置付けられた下部アノライト開口と、を含み、
前記カソライトタンクが、上部カソライト開口と、前記上部カソライト開口の下方に位置付けられた下部カソライト開口と、を含み、
前記複数の電解質経路のうちの１つ以上が、前記アノライトタンクを前記アノードに流体的に結合するように、前記上部アノライト開口と前記アノードとの間に延在し、かつ前記下部アノライト開口と前記アノードとの間に延在し、
前記複数の電解質経路のうちの１つ以上が、前記カソライトタンクを前記カソードに流体的に結合するように、前記上部カソライト開口と前記カソードとの間に延在し、かつ前記下部カソライト開口と前記カソードとの間に延在し、
前記１つ以上の弁が、前記複数の電解質経路のうちの１つ以上に流体的に結合され、
前記１つ以上のタービンが、前記複数の電解質経路のうちの１つ以上に流体的に結合され、
前記１つ以上のタンクセパレータが、前記アノライトタンクおよび前記カソライトタンクのうちの１つまたは両方の中に位置付けられ、
前記１つ以上のタンクセパレータが、電解質流を前記下部アノライト開口および前記下部カソライト開口のうちの１つまたは両方から前記１つ以上のタービンを通るように誘導して、水力発電式に電力を発生させるように、下向き方向に並進可能であり、
電解質が、前記電気化学セルから前記下部アノライト開口および前記下部カソライト開口のうちの少なくとも１つに流れるとき、前記１つ以上の弁が、前記１つ以上のタービンのうちの少なくとも１つの電解質通過を防ぎ、
電解質が、前記下部アノライト開口および前記下部カソライト開口のうちの少なくとも１つから前記電気化学セルに流れるとき、前記１つ以上の弁が、前記１つ以上のタービンのうちの少なくとも１つの電解質通過を可能にする、ハイブリッドフローレドックス電池システム。
【手続補正２】
【補正対象書類名】特許請求の範囲
【補正対象項目名】全文
【補正方法】変更
【補正の内容】
【特許請求の範囲】
【請求項１】
電気化学セル、アノライトタンク、カソライトタンク、１つ以上のタンクセパレータ、複数の電解質経路、１つ以上のタービン、および１つ以上の発電回路を備えるハイブリッドフローレドックス電池システムであって、
前記電気化学セルが、アノードとカソードとの間に位置付けられ、かつ前記アノードおよび前記カソードと電気化学的に係合されたイオン交換膜を備え、
前記１つ以上の発電回路のうちの少なくとも１つが、前記アノードおよび前記カソードに電気的に結合され、
前記アノライトタンクが、上部アノライト開口と、前記上部アノライト開口の下方に位置付けられた下部アノライト開口とを含み、
前記カソライトタンクが、上部カソライト開口と、前記上部カソライト開口の下方に位置付けられた下部カソライト開口とを含み、
前記複数の電解質経路のうちの１つ以上が、前記アノライトタンクを前記アノードに流体的に結合するように、前記上部アノライト開口と前記アノードとの間に延在し、かつ前記下部アノライト開口と前記アノードとの間に延在し、
前記複数の電解質経路のうちの１つ以上が、前記カソライトタンクを前記カソードに流体的に結合するように、前記上部カソライト開口と前記カソードとの間に延在し、かつ前記下部カソライト開口と前記カソードとの間に延在し、
前記１つ以上のタービンが、前記複数の電解質経路のうちの１つ以上に流体的に結合され、
前記１つ以上のタンクセパレータが、前記アノライトタンクおよび前記カソライトタンクのうちの１つまたは両方の中に位置付けられ、
前記１つ以上のタンクセパレータが、電解質流を前記下部アノライト開口および前記下部カソライト開口のうちの１つまたは両方から前記１つ以上のタービンを通るように誘導して、水力発電式に電力を発生させるように、下向き方向に並進可能である、ハイブリッドフローレドックス電池システム。
【請求項２】
前記１つ以上のタンクセパレータが、前記アノライトタンク内に位置付けられたアノライトタンクセパレータ、および前記カソライトタンク内に位置付けられたカソライトタンクセパレータを備え、
前記アノライトタンクセパレータが帯電アノライト活物質を放電アノライト活物質から分離するように、前記アノライトタンクセパレータが前記アノライトタンク内に位置付けられ、
前記カソライトタンクセパレータが帯電カソライト活物質を放電カソライト活物質から分離するように、前記カソライトタンクセパレータが前記カソライトタンク内に位置付けられている、請求項１に記載のハイブリッドフローレドックス電池システム。
【請求項３】
前記１つ以上のタンクセパレータがそれぞれ、１トン／ｍ３〜５トン／ｍ３の密度、および１トン〜４００トンの重量を備える、請求項１に記載のハイブリッドフローレドックス電池システム。
【請求項４】
前記複数の電解質経路のうちの１つ以上に流体的に結合された１つ以上の弁をさらに備え、
前記１つ以上の弁のそれぞれが、開位置と閉位置との間で作動可能であり、
前記開位置では、前記１つ以上の弁の電解質通過を可能にし、
前記閉位置では、前記１つ以上の弁の電解質通過を防ぐ、請求項１に記載のハイブリッドフローレドックス電池システム。
【請求項５】
前記１つ以上のタービンが、１つ以上のタービン発電機に電気的に結合され、
前記下部アノライト開口および前記下部カソライト開口のうちの１つまたは両方から前記１つ以上のタービンを通る電解質流が、前記１つ以上のタービンを回転させ、前記１つ以上のタービン発電機により受け取り可能である電流を発生させ、水力発電式に電力を発生させる、請求項１に記載のハイブリッドフローレドックス電池システム。
【請求項６】
前記複数の電解質経路が、
前記下部アノライト開口と前記アノードとの間に延在し、かつ前記下部アノライト開口および前記アノードに流体的に結合されている下部アノライト経路と、
前記上部アノライト開口と前記アノードとの間に延在し、かつ前記上部アノライト開口および前記アノードに流体的に結合されている上部アノライト経路と、
前記下部カソライト開口と前記カソードとの間に延在し、かつ前記下部カソライト開口および前記カソードに流体的に結合されている下部カソライト経路と、
前記上部カソライト開口と前記カソードとの間に延在し、かつ前記上部カソライト開口および前記カソードに流体的に結合されている上部カソライト経路と、を備える、請求項１に記載のハイブリッドフローレドックス電池システム。
【請求項７】
前記下部アノライト開口が、第１の下部アノライト開口を含み、
前記アノライトタンクが、前記上部アノライト開口の下方に位置付けられ、かつ前記下部アノライト経路に流体的に結合された第２の下部アノライト開口をさらに備え、
前記下部アノライト経路が、前記第１の下部アノライト開口と前記アノードとの間に延在する一次支路を備え、
前記下部アノライト経路が、前記第２の下部アノライト開口と前記下部アノライト経路の前記一次支路との間に延在する二次支路を備え、
前記１つ以上のタービンが、前記下部アノライト経路の前記二次支路に流体的に結合されたアノライト側タービンを備える、請求項６に記載のハイブリッドフローレドックス電池システム。
【請求項８】
前記第１の下部アノライト開口と、前記下部アノライト経路の前記一次支路と前記二次支路とのアノライト経路収束場所との間で、前記下部アノライト経路の前記一次支路に流体的に結合された第１のアノライト弁と、
前記第２の下部アノライト開口と前記アノライト側タービンとの間で、前記二次支路に流体的に結合された第２のアノライト弁と、
前記アノライト経路収束場所と前記アノライト側タービンとの間で、前記二次支路に流体的に結合された第３のアノライト弁と、
をさらに備え、
前記第１、第２、および第３のアノライト弁のそれぞれが、閉位置と開位置との間で作動可能であり、
前記第１のアノライト弁が前記開位置にあり、前記第２および第３のアノライト弁がそれぞれ前記閉位置にあるとき、前記アノライト側タービンを通る電解質流が妨げられ、
前記第１のアノライト弁が前記閉位置にあり、前記第２および第３のアノライト弁がそれぞれ前記開位置にあるとき、前記アノライト側タービンを通る電解質流は妨げられない、請求項７に記載のハイブリッドフローレドックス電池システム。
【請求項９】
前記下部カソライト開口が、第１の下部カソライト開口を備え、
前記カソライトタンクが、前記上部カソライト開口の下方に位置付けられ、かつ前記下部カソライト経路に流体的に結合された第２の下部カソライト開口をさらに備え、
前記下部カソライト経路が、前記第１の下部カソライト開口と前記カソードとの間に延在する一次支路を備え、
前記下部カソライト経路が、前記第２の下部カソライト開口と前記一次支路との間に延在する二次支路を備え、
前記１つ以上のタービンが、前記下部カソライト経路の前記二次支路に流体的に結合されたカソライト側タービンを備える、請求項６に記載のハイブリッドフローレドックス電池システム。
【請求項１０】
前記第１の下部カソライト開口と、前記下部カソライト経路の前記一次支路と前記二次支路とのカソライト経路収束場所との間で、前記下部カソライト経路の前記一次支路に流体的に結合された第１のカソライト弁と、
前記第２の下部カソライト開口と前記カソライト側タービンとの間で、前記二次支路に流体的に結合された第２のカソライト弁と、
前記カソライト経路収束場所と前記カソライト側タービンとの間で、前記二次支路に流体的に結合された第３のカソライト弁と、
をさらに備え、
前記第１、第２、および第３のカソライト弁のそれぞれが、閉位置と開位置との間で作動可能であり、
前記第１のカソライト弁が前記開位置にあり、前記第２および第３のカソライト弁がそれぞれ前記閉位置にあるとき、前記カソライト側タービンを通る電解質流が妨げられ、
前記第１のカソライト弁が前記閉位置にあり、前記第２および第３のカソライト弁がそれぞれ前記開位置にあるとき、前記カソライト側タービンを通る電解質流は妨げられない、請求項９に記載のハイブリッドフローレドックス電池システム。
【請求項１１】
アノライト溶液をさらに備え、前記アノライト溶液の１つ以上の活物質には、バナジウム、クロム、亜鉛、硫黄、ネプツニウム、ウラン、またはそれらの組み合わせが含まれ、
前記アノードが、
前記アノライト溶液の帯電アノライト活物質を酸化させ、それにより、前記帯電アノライト活物質が、前記イオン交換膜から前記帯電アノライト活物質および陽子の両方を受け取った時点で前記１つ以上の発電回路のうちの少なくとも１つにより受け取り可能な電子を出すようにすることと、
前記アノライト溶液の放電アノライト活物質を還元させ、それにより、前記放電アノライト活物質が、前記１つ以上の発電回路のうちの少なくとも１つから前記放電アノライト活物質および電子の両方を受け取った時点で前記イオン交換膜によって受け取り可能な陽子を出すようにすること、を行うように電気化学的に構成されている、請求項１に記載のハイブリッドフローレドックス電池システム。
【請求項１２】
カソライト溶液をさらに備え、前記カソライト溶液の１つ以上の活物質には、バナジウム、臭素、セリウム、塩素、フェリシアン化物、フェロシアン化物、マンガン、酸化ネプツニウム、酸化ウラン、またはそれらの組み合わせが含まれ、
前記カソードが、
帯電カソライト活物質を還元させ、それにより、前記帯電カソライト活物質が、前記１つ以上の発電回路のうちの少なくとも１つから前記帯電カソライト活物質および電子の両方を受け取った時点で前記イオン交換膜により受け取り可能な陽子を出すようにすることと、
放電カソライト活物質を酸化させ、それにより、前記放電カソライト活物質が、前記イオン交換膜から前記放電カソライト活物質および陽子の両方を受け取った時点で前記１つ以上の発電回路のうちの少なくとも１つによって受け取り可能な電子を出すようにすることと、を行うように電気化学的に構成されている、請求項１に記載のハイブリッドフローレドックス電池システム。
【請求項１３】
前記複数の電解質経路のうちの１つ以上に流体的に結合された１つ以上のポンプをさらに備え、
前記１つ以上のポンプが、前記上部アノライト開口および前記上部カソライト開口のうちの１つまたは１つより多いすなわち両方からの電解質流を誘導し、上向き方向に前記１つ以上のタンクセパレータを並進させるように構造的に構成され、
前記１つ以上のタンクセパレータが上昇位置から下降位置に前記下向き方向に並進するときに前記１つ以上のタービンを通る電解質流によって水力発電式に発生する電力が、前記１つ以上のタンクセパレータを前記上向き方向に前記下降位置から前記上昇位置に並進させるために前記１つ以上のポンプによって消費される電力以上である、請求項１に記載のハイブリッドフローレドックス電池システム。
【請求項１４】
電気化学セル、アノライトタンク、カソライトタンク、１つ以上のタンクセパレータ、複数の電解質経路、１つ以上のタービン、１つ以上のポンプ、および１つ以上の発電回路を備えるハイブリッドフローレドックス電池システムであって、
前記電気化学セルが、アノードとカソードとの間に位置付けられ、かつ前記アノードおよび前記カソードと電気化学的に係合されたイオン交換膜を備え、
前記１つ以上の発電回路のうちの少なくとも１つが、前記アノードおよび前記カソードに電気的に結合され、
前記アノライトタンクが、上部アノライト開口と、前記上部アノライト開口の下方に位置付けられた下部アノライト開口とを含み、
前記カソライトタンクが、上部カソライト開口と、前記上部カソライト開口の下方に位置付けられた下部カソライト開口とを含み、
前記複数の電解質経路のうちの１つ以上が、前記アノライトタンクを前記アノードに流体的に結合するように、前記上部アノライト開口と前記アノードとの間に延在し、かつ前記下部アノライト開口と前記アノードとの間に延在し、
前記複数の電解質経路のうちの１つ以上が、前記カソライトタンクを前記カソードに流体的に結合するように、前記上部カソライト開口と前記カソードとの間に延在し、かつ前記下部カソライト開口と前記カソードとの間に延在し、
前記１つ以上のポンプが、前記複数の電解質経路のうちの１つ以上に流体的に結合され、
前記１つ以上のタービンが、前記複数の電解質経路のうちの１つ以上に流体的に結合され、
前記１つ以上のタンクセパレータが、前記アノライトタンクおよび前記カソライトタンクのうちの１つまたは両方の中に位置付けられ、
前記１つ以上のタンクセパレータが、電解質流を前記下部アノライト開口および前記下部カソライト開口のうちの１つまたは両方から前記１つ以上のタービンを通るように誘導し、前記１つ以上のタービンを回転させて、水力発電式に電力を発生させるように、下向き方向に並進可能であり、
前記１つ以上のタンクセパレータが上昇位置から下降位置に前記下向き方向に並進するときに前記１つ以上のタービンを通る電解質流によって水力発電式に発生する電力が、前記１つ以上のタンクセパレータを上向き方向に前記下降位置から前記上昇位置に並進させるために前記１つ以上のポンプによって消費される電力の５０％以上である、ハイブリッドフローレドックス電池システム。
【請求項１５】
電気化学セル、アノライトタンク、カソライトタンク、１つ以上のタンクセパレータ、複数の電解質経路、１つ以上のタービン、１つ以上の弁、および１つ以上の発電回路を備えるハイブリッドフローレドックス電池システムであって、
前記電気化学セルが、アノードとカソードとの間に位置付けられ、かつ前記アノードおよび前記カソードと電気化学的に係合されたイオン交換膜を備え、
前記１つ以上の発電回路のうちの少なくとも１つが、前記アノードおよび前記カソードに電気的に結合され、
前記アノライトタンクが、上部アノライト開口と、前記上部アノライト開口の下方に位置付けられた下部アノライト開口と、を含み、
前記カソライトタンクが、上部カソライト開口と、前記上部カソライト開口の下方に位置付けられた下部カソライト開口と、を含み、
前記複数の電解質経路のうちの１つ以上が、前記アノライトタンクを前記アノードに流体的に結合するように、前記上部アノライト開口と前記アノードとの間に延在し、かつ前記下部アノライト開口と前記アノードとの間に延在し、
前記複数の電解質経路のうちの１つ以上が、前記カソライトタンクを前記カソードに流体的に結合するように、前記上部カソライト開口と前記カソードとの間に延在し、かつ前記下部カソライト開口と前記カソードとの間に延在し、
前記１つ以上の弁が、前記複数の電解質経路のうちの１つ以上に流体的に結合され、
前記１つ以上のタービンが、前記複数の電解質経路のうちの１つ以上に流体的に結合され、
前記１つ以上のタンクセパレータが、前記アノライトタンクおよび前記カソライトタンクのうちの１つまたは両方の中に位置付けられ、
前記１つ以上のタンクセパレータが、電解質流を前記下部アノライト開口および前記下部カソライト開口のうちの１つまたは両方から前記１つ以上のタービンを通るように誘導して、水力発電式に電力を発生させるように、下向き方向に並進可能であり、
電解質が、前記電気化学セルから前記下部アノライト開口および前記下部カソライト開口のうちの少なくとも１つに流れるとき、前記１つ以上の弁が、前記１つ以上のタービンのうちの少なくとも１つの電解質通過を防ぎ、
電解質が、前記下部アノライト開口および前記下部カソライト開口のうちの少なくとも１つから前記電気化学セルに流れるとき、前記１つ以上の弁が、前記１つ以上のタービンのうちの少なくとも１つの電解質通過を可能にする、ハイブリッドフローレドックス電池システム。